(57)【要約】【課題】歯科用安頭台に用いるヘッドカバーを紙シートとすることでより、安価なヘッドカバーとし、しかも、多数枚のカバーシートを束ねて安頭台の後側に着脱自在に装着可能とし、日捲り式に新しいヘッドカバーとすることによって、カバーの交換作業を容易にし、かつ、使い捨て式にして、より衛生的に取り換えるようにした。【解決手段】ヘッドカバー１０は、多数枚の紙１０1〜１０n多数枚の紙の一辺を束ねた紙綴りとなっており、束ねた側の辺１０ａを歯科治療椅子１の安頭台９の背面に着脱自在に固定しておく。紙１０1〜１０nを一枚ずつ捲って安頭台９の表側にし、ヘッドカバーとする。【選択図】図１
2007130389.tif 000002
【特許請求の範囲】
【請求項１】
多数枚の紙の一辺を束ねた紙綴りから成り、該紙綴りの前記束ねた側の辺を歯科治療椅子の安頭台の背面に着脱自在に固定し、該紙を一枚ずつ捲って安頭台の表側にし、ヘッドカバーとすることを特徴とする歯科用安頭台のヘッドカバー。
【請求項２】
前記紙綴りは前記一辺側にて一枚毎接着されており、かつ、一枚毎分離可能であることを特徴とする請求項１に記載の歯科用安頭台のヘッドカバー。
【請求項３】
前記紙綴りの一辺側に該一辺と並行にミシン目を有し、該ミシン目に沿って各紙を切断可能にしたことを特徴とする請求項１に記載の歯科用安頭台のヘッドカバー。
【請求項４】
前記ヘッドカバーの紙として、ヘッドカバーとして使用する紙より大きな紙を使用し、該大きな紙に上辺部を残して切り込みを入れ、該切り込みの内側の紙を捲って安頭台の前にしてヘッドカバーとし、該ヘッドカバーとして使用した部分のまわりの紙を捲って患者用のエプロン紙とすることを特徴とする歯科用安頭台のヘッドカバー。
【請求項５】
前記ヘッドカバーとして捲った紙の後に前記エプロン紙にできた切り欠き穴は、前記エプロン紙として使用する時の患者用の首通しの穴であることを特徴とする請求項４に記載の歯科用安頭台のヘッドカバー。
【請求項６】
前記切り欠きの下部中央部に切り込みを有し、前記エプロン紙を首通しする時の穴を拡大可能にしたことを特徴とする請求項４又は５に記載の歯科用安頭台のヘッドカバー。
【請求項７】
前記ヘッドカバーの束は、上部の後側に該ヘッドカバーの束を安頭台に固定するための固定手段を有することを特徴とする請求項１乃至６のいずれかに記載の歯科用安頭台のヘッドカバー。
【請求項８】
前記固定手段は、面ファスナーであることを特徴とする請求項７に記載の歯科用安頭台のヘッドカバー。
【発明の詳細な説明】
【技術分野】
【０００１】
本発明は、歯科用安頭台のヘッドカバーに係り、より詳細には、ヘッドカバーを多数枚の紙（シート）を束ねて安頭台の背面に着脱自在に装着し、一枚ごとの紙を日捲り式にして安頭台の前にもってきてヘッドカバーとして使用可能とし、使い捨て式にして衛生的にし、かつ、ヘッドカバーの着脱作業を容易にし、作業能率の向上を図ったものである。
【背景技術】
【０００２】
図４は、本発明が適用される歯科治療ユニットの一例を示す全体構成図で、該歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にして治療を行う。
【０００３】
上述のごとき歯科治療ユニットにおいて、患者が歯科治療を受けるに当って治療椅子１に座る時に、安頭台９上のヘッドカバーを取り換える。このヘッドカバーは、従来、布製で、患者一人一人が使用するごとに、洗濯済みのものと取り換えて使用している。
【０００４】
しかし、そのためには、洗濯代等の費用も嵩み、取り換え作業も、使用後のカバーを取り去り、新しいカバーに替えるのに、カバーの保管場所へ行ったり来たりしなければならず、大変であり、更には、使用後の汚れたカバーをも一時的に収納・保管しなければならず、非衛生的な面もあった。
【発明の開示】
【発明が解決しようとする課題】
【０００５】
本発明は、上述のごとき実情に鑑みてなされたもので、特に、歯科治療用安頭台に用いるヘッドカバーを紙シートとすることでより安価なヘッドカバーとし、しかも、多数枚のカバーシートを束ねて安頭台の後側に着脱自在に装着可能とし、日捲り式に新しいヘッドカバーとすることによって、カバーの交換作業を容易にし、かつ、使い捨て式にして、より衛生的に取り換えるようにしたものである。
【０００６】
更には、一枚の紙を、ヘッドカバーとしてもエプロンとしても使用できるように構成可能にし、患者に被せるエプロンをも、安価に、かつ、取り扱いやすく、更には、より衛生的に取り扱うことができるようにしたものである。
【課題を解決するための手段】
【０００７】
請求項１の発明は、多数枚の紙の一辺を束ねた紙綴りを有し、該紙綴りの前記束ねた側の辺を歯科治療椅子の安頭台の背面に着脱自在に固定し、該紙を一枚ずつ捲って安頭台の表側にし、ヘッドカバーとしたことを特徴としたものである。
【０００８】
請求項２の発明は、請求項１の発明において、前記紙綴りは前記一辺側にて一枚毎接着されており、かつ、一枚毎分離可能であることを特徴としたものである。
【０００９】
請求項３の発明は、請求項１の発明において、前記紙綴りの一辺側に該一辺と並行にミシン目を有し、該ミシン目に沿って各紙を切断可能にしたことを特徴としたものである。
【００１０】
請求項４の発明は、前記ヘッドカバーの紙として、ヘッドカバーとして使用する紙より大きな紙を使用し、該大きな紙に上辺部を残して切り込みを入れ、該切り込みの内側の紙を捲って安頭台の前にしてヘッドカバーとし、該ヘッドカバーとして使用した部分のまわりの紙を捲って患者用のエプロンとしたことを特徴としたものである。
【００１１】
請求項５の発明は、請求項４の発明において、前記ヘッドカバーとして捲った紙の後に前記エプロン紙ができた切り欠きは、前記その後の残った大きな紙をエプロンとして使用する時の患者用の首通しの穴であることを特徴としたものである。
【００１２】
請求項６の発明は、請求項４又は５の発明において、前記切り欠きの下部中央部には切り込みを有し、前記エプロン紙を首通しする時の穴を拡大可能にしたことを特徴としたものである。
【００１３】
請求項７の発明は、請求項１乃至６のいずれかの発明において、前記ヘッドカバーの束は、上部の後側に該ヘッドカバーの束を安頭台に固定するための固定手段を有することを特徴としたものである。
【００１４】
請求項８の発明は、請求項７の発明において、前記固定手段は、面ファスナーであることを特徴としたものである。
【発明の効果】
【００１５】
歯科用安頭台に用いるヘッドカバーを紙シートとすることでより安価なヘッドカバーとすることができ、しかも、多数枚のカバーシートを束ねて安頭台の後側に着脱自在に装着可能とし、日捲り式に新しいヘッドカバーとするようにしたので、カバーの交換作業が容易になり、かつ、使い捨て式にしたので、より衛生的に取り換える。
【００１６】
更には、一枚の紙で、ヘッドカバーとエプロンを構成可能にしたので、患者に被せるエプロンをも、安価に、かつ、取り扱いやすく、更には、より衛生的に取り扱うことができる。
【発明を実施するための最良の形態】
【００１７】
図１は、本発明によるヘッドカバー１０を歯科用治療椅子１の安頭台９の後側に取り付けた時の状態を示す図で、ヘッドカバー１０は、多数の紙１０1〜１０nを一端側１０ａで一綴りに束ね、この一綴りにした１０ａ側を上方にして安頭台９の後側に、例えば、面ファスナー等を使用して、着脱自在に装着したものである。
【００１８】
使用に当っては、図中に、破線１０1で示してあるように、最初のヘッドカバー１０1から順次矢印Ａにて示すように日捲り式に捲って、安頭台９の前に出して垂れ下げる。
【００１９】
各ヘッドカバー紙１０1〜１０nの上方にはミシン目１１が設けられており、使用後は、このミシン目に沿って切り取られて破棄されるが、１枚１枚が糊等によって剥れやすく接着されていれば、必ずしもミシン目が入っていなくてもよい。
【００２０】
図２は、本発明の他の実施例を説明するための図で、この実施例は、大きな紙を使用して、ヘッドカバー１０とエプロン２０とを同時に形成するようにしたものである。すなわち、大きな紙２０の上部には、１０にて示すヘッドカバーの大きさに切り込み２１が入っており、これによって、切り込み２１の内部１０を矢印Ａ方向に捲ってヘッドカバーとする。この切り込み２１の内部１０の作用，機能は、図１に示したヘッドカバー１０と同じである。
【００２１】
上述のようにして、切り込み部１０内を捲ると、その後には、該切り込み部１０の領域に穴があくので、この穴を首通しとして、大きな紙２０を矢印Ａ方向に捲ると、図３に示すように、エプロン２０として使用することができる。
【００２２】
なお、エプロンとして使用する場合、ヘッドカバーとして使用した部分の穴（ヘッドカバー１０の大きさ）が小さいと、患者が首を通すことができなかったり、通しにくいことがあるので、穴の下部中央に当る部分に切り込み２２を設けておけば、首通しの穴を大きくすることができ、使い勝手がよいものとなる。
【図面の簡単な説明】
【００２３】
【図１】本発明によるヘッドカバーが装着された歯科治療用椅子の例を示す図である。
【図２】本発明によるヘッドカバーの他の例が装着された歯科治療用椅子の例を示す図である。
【図３】図２に示したヘッドカバーを使用している時の状態を示す図である。
【図４】本発明によるヘッドカバーが使用される一例としての歯科治療用安頭台を示す図である。
【符号の説明】
【００２４】
９…安頭台、１０（１０1〜１０n）…ヘッドカバーの綴り、１０ａ…綴り部、１１…ミシン目、２０…エプロン部、２１，２２…切り込み。
【図１】
2007130389.tif 000003
【図２】
2007130389.tif 000004
【図３】
2007130389.tif 000005
【図４】
2007130389.tif 000006